(57)【要約】【課題】威嚇効果を向上させることにより防犯効果を向上させることができる照明器具を提供する。【解決手段】照明器具１は、器具本体２と、人感センサ１３と制御部１５とを有し、器具本体２に取付けられるセンサユニット１１と、器具本体２に取付けられ、人感センサ１３の検知結果に基づいて制御部１５により点灯が制御される白熱灯５と、センサユニット１１と一体化されるとともに、器具本体２の外部に位置するように設けられ、かつ、人感センサ１３の検知結果に基づいて制御部１５により点灯が制御される白熱灯５と点灯特性が異なるフラッシュランプ２０とを備えている。【選択図】図４
2006086035.tif 000002
【特許請求の範囲】
【請求項１】
器具本体と；
人感センサと制御部とを有し、器具本体に取付けられるセンサユニットと；
器具本体に取付けられ、人感センサの検知結果に基づいて制御部により点灯が制御される第１の光源と；
センサユニットと一体化されるとともに、器具本体の外部に位置するように設けられ、かつ、人感センサの検知結果に基づいて制御部により点灯が制御される第１の光源と点灯特性が異なる第２の光源と；
を具備することを特徴とする照明器具。
【請求項２】
照明器具の動作状態を表示する表示光源をさらに備えたことを特徴とする請求項１記載の照明器具。
【発明の詳細な説明】
【技術分野】
【０００１】
本発明は、住宅の勝手口や玄関等に設置可能な照明器具に関する。
【背景技術】
【０００２】
従来から、住宅の玄関等には防犯機能を有する照明器具が設置されていることがある。このような照明器具としては、例えば特許文献１および特許文献２のようなものが知られている。
【０００３】
特許文献１においては、人センサ部の出力信号が暗信号の場合であって、人センサ部が人を検知すると、照明負荷部が点灯する。また、明るさセンサ部の出力信号と関係なく、これと同時に予報タイマとインターバルタイマの計時動作が開始する。そして、インターバルタイマが一度も計時動作を完了せずに予報タイマが計時動作を完了した場合には、照明負荷部が点灯から点滅に切替わる。
【０００４】
特許文献２においては、照度センサの検出照度が所定の照度以下であると、上部ランプが点灯し、また照度センサの検出照度が所定の照度以下であって、人感センサが人の存在を検出すると、下部ランプが点灯する。
【特許文献１】特開２００３−２０８９９０号公報
【特許文献２】特開２００２−３１３５８７号公報
【発明の開示】
【発明が解決しようとする課題】
【０００５】
しかしながら、特許文献１の技術では、同じ照明負荷部で点灯及び点滅を行っているので、点灯から点滅に切替わった場合に明るさや光色等に変化がない。特許文献２の技術では、照明器具内に設けられた２つの光源が各々の制御命令に基づいて点滅制御なされるものの、下部に設けられた第２の光源は、点滅を繰返すのではなく、玄関の足元やドアの部分を視認しやすくするために点灯するものであるので、十分な威嚇効果は得られないものである。また、２つの光源が器具内に設けられる構成であるので、照明器具が大形化してしまうものであった。このようなことから、特許文献１および特許文献２の照明器具は、威嚇効果が弱く、防犯効果が低いと考えられる。
【０００６】
本発明は、上記課題を解決するためになされたものである。即ち、威嚇効果を向上させることにより防犯効果を向上させることができる照明器具を提供することを目的とする。
【課題を解決するための手段】
【０００７】
請求項１記載の発明は、器具本体と；人感センサと制御部とを有し、器具本体に取付けられるセンサユニットと；器具本体に取付けられ、人感センサの検知結果に基づいて制御部により点灯が制御される第１の光源と；センサユニットと一体化されるとともに、器具本体の外部に位置するように設けられ、かつ、人感センサの検知結果に基づいて制御部により点灯が制御される第１の光源と点灯特性が異なる第２の光源と；を具備することを特徴とする照明器具である。
【０００８】
本発明において「点灯特性が異なる」とは、例えば、明るさ、光色、または点灯状態等が異なることをいう。第１の光源としては、例えば、白熱灯、蛍光ランプ等が挙げられるが、これらに限定されない。第２の光源としては、例えば、フラッシュランプ、発光ダイオード等が挙げられるが、これらに限定されない。なお、第１の光源と第２の光源とが同じ種類の光源であってもよい。
【０００９】
請求項１記載の発明によれば、第２の光源は第１の光源と点灯特性が異なるので、第２の光源が点灯することにより威嚇モードに切り替わったということが明らかとなり、威嚇効果を向上させることができ、防犯効果を向上させることができる。
【００１０】
請求項２記載の発明は、照明器具の動作状態を表示する表示光源をさらに備えたことを特徴とする請求項１記載の照明器具である。請求項２記載の発明によれば、表示光源を備えているので、照明器具の動作状態を容易に把握することができ、これにより使用者の不安を解消することができる。
【発明の効果】
【００１１】
請求項１記載の発明によれば、威嚇効果を向上させることができ、防犯効果を向上させることができる。請求項２記載の発明によれば、使用者の不安を解消することができる。
【発明を実施するための最良の形態】
【００１２】
以下、本発明の実施の形態について説明する。図１は本実施の形態に係る照明器具の斜視図であり、図２は本実施の形態に係る器具本体及びその内部の模式的な平面図であり、図３は本実施の形態に係る照明器具の電気的な接続を表す模式的なブロック図である。図４は本実施の形態に係るセンサユニットの正面図であり、図５（ａ）及び図５（ｂ）は既存の照明器具に取付けられているセンサユニットの模式的な正面図である。
【００１３】
図１〜図４に示されるように、照明器具１は、器具本体２を備えている。器具本体２は有底円筒状に形成されており、器具本体２には鍔部２ａが形成されている。器具本体２の底面裏側には、壁面に取付けるためのパッキン（図示せず）が取付けられている。器具本体２内にはソケット３及び端子台４が配置されており、ソケット３には白熱灯５（第１の光源）が装着されている。
【００１４】
鍔部２ａ上には、パッキン６を介してグローブ７が配置されている。グローブ７の外側には、グローブ７を押えるガード８が取付けられており、ガード８と器具本体２とは固定されている。具体的には、ガード８の外周部に設けられたネジ孔及び鍔部２ａに設けられたネジ孔に器具本体２裏面側から化粧ネジ９を挿入し、化粧ネジ９と化粧ナット１０をガード８表面側で螺合させることにより、ガード８が器具本体２に固定される。
【００１５】
器具本体２の側面には、器具本体２に対して着脱可能にセンサユニット１１が取付けられている。センサユニット１１はケース１２を備えており、ケース１２が器具本体２に対してネジ止されることによりセンサユニット１１が着脱可能に取付けられる。
【００１６】
ケース１２内には、人体から発せられる赤外線を検知することにより人体を検知する人感センサ１３、周囲の照度を検知する照度センサ１４、及び制御基板等から構成された制御部１５が配置されている。制御部１５は、後述するスイッチ１９及び壁スイッチ２１により選択されたモードに基づいて、白熱灯５及び後述するキセノンフラッシュランプ２０の点灯を制御するように構成されている。
【００１７】
ケース１２の正面側には、図４に示されるように光を集束させるレンズ１６、照明器具１の動作状態を表示する表示ランプ１７（表示光源）及び表示ランプ１８（表示光源）、点灯モードを切替えるスイッチ１９、白熱灯５と点灯特性が異なるキセノンフラッシュランプ２０（第２の光源）等が配置されている。キセノンフラッシュランプ２０は、センサユニット１１と一体化している。
【００１８】
表示ランプ１７は「初期化中」を表すものであり、人感センサ１３を初期化するときに点灯する。表示ランプ１８は「連続点灯」を表すものであり、白熱灯５が連続点灯するときに点灯する。表示ランプ１７と表示ランプ１８には、互いに光色が異なるランプが用いられている。例えば、表示ランプ１８として赤色に点灯するランプを用いる場合には、表示ランプ２０としては、赤色以外の色、例えば緑色に点灯するランプが用いられる。これにより、表示ランプ１７，１８のいずれが点灯しているか容易に把握することができる。
【００１９】
スイッチ１９は、制御部１５と電気的に接続されており、スイッチ１９をスライドさせることにより点灯モードが切替えられるように構成されている。具体的には、「モード」、「センサ」、及び「明るさ」を切替えるスイッチ１９が設けられている。
【００２０】
「モード」を切替えるスイッチ１９は、「ＯＮ／ＯＦＦ」、「調光」、及び「フラッシュ」に切替え可能になっている。「ＯＮ／ＯＦＦ」は、キセノンフラッシュランプ２０を点滅点灯させずに白熱灯５のみを全光点灯及び消灯させるモードである。「調光」は、キセノンフラッシュランプ２０を点滅点灯させずに白熱灯５のみを全光点灯及び調光点灯させるモードである。「フラッシュ」は、白熱灯５を全光点灯及びキセノンフラッシュランプ２０を点滅点灯させるモードである。
【００２１】
「センサ」を切替えるスイッチ１９は、「照度切」、「ＯＮ」、及び「センサ切」に切替え可能になっている。「照度切」は、照度センサ１４の動作を停止させるモードである。この場合には、人感センサ１３のみが動作する。「ＯＮ」は、人感センサ１３及び照度センサ１４を動作させるモードである。「センサ切」は、人感センサ１３の動作を停止させるモードである。この場合には、照度センサ１４のみが動作する。
【００２２】
「明るさ」を切替えるスイッチ１９は、「暗」、「テスト」、及び「明」に切替え可能になっている。「暗」は、照度センサ１４の設定照度が低いモードであり、「テスト」は人感センサ１３のテスト時に使用するモードであり、「明」は、照度センサ１４の設定照度が高いモードである。
【００２３】
このようなスイッチ１９を切替えることにより、白熱灯５及びキセノンフラッシュランプ２０を様々なモードで点灯させることができる。例えば、「モード」のスイッチ１９を「ＯＮ／ＯＦＦ」に合わせ、かつ「センサ」のスイッチ１９を「ＯＮ」に合わせた場合には、照度センサ１４により検知された照度が設定照度以下であり、かつ人感センサ１３により人体が検知されると、白熱灯５が自動的に全光点灯する。ここで、所定時間続けて人感センサ１３により人体の動きが検知されている間は、白熱灯５は連続点灯するが、所定時間続けて人体の動きが検知されないと、所定時間後白熱灯５は消灯する。なお、検知された照度が設定照度を超えている場合には、白熱灯５は点灯しない。
【００２４】
「モード」のスイッチ１９を「調光」に合わせ、かつ「センサ」のスイッチ１９を「ＯＮ」に合わせた場合には、照度センサ１４により検知された照度が設定照度以下となると白熱灯５が自動的に調光点灯する。そして、その状態で人感センサ１３により人体が検知されると白熱灯５が全光点灯する。ここで、人感センサ１３により人体の動きが検知されている間は白熱灯５は連続点灯するが、所定時間続けて人体の動きが検知されないと、所定時間後に白熱灯５は調光点灯に戻る。なお、検知された照度が設定照度を超えている場合には、白熱灯５は点灯しない。
【００２５】
「モード」のスイッチ１９を「フラッシュ」に合わせ、かつ「センサ」のスイッチ１９を「ＯＮ」に合わせた場合には、照度センサ１４により検知された照度が設定照度以下であり、かつ人感センサ１３により人体が検知されると、白熱灯５が全光点灯する。そして、所定時間続けて人感センサ１３により人体の動きが検知されると、所定時間後白熱灯５が消灯するとともに続けてキセノンフラッシュランプ２０が点滅点灯する。また、人感センサ１３により人体の動きが検知されないと、白熱灯５は消灯する。この場合には、キセノンフラッシュランプ２０は点滅点灯しない。なお、検知された照度が設定照度を超えている場合には、白熱灯５は点灯しない。
【００２６】
また、壁面には、照明器具１の「ＯＮ」及び「ＯＦＦ」の切替えを行う壁スイッチ２１が設けられている。壁スイッチ２１と制御部１５とは電気的に接続されており、壁スイッチ２１を「ＯＦＦ」にしてから所定時間内に「ＯＮ」にすると、周囲の照度、人体検知に関わらず、白熱灯５が連続点灯する連続点灯状態となる。ここで、連続点灯状態においては、表示ランプ１８が点灯する。
【００２７】
一方、連続点灯から壁スイッチ２１を「ＯＦＦ」にし、その後所定時間内に「ＯＮ」にすると、周囲の照度、人体検知により白熱灯５及びキセノンフラッシュランプ２０が点灯するセンサ検知点灯状態になる。ここで、センサ検知点灯状態にする場合には、壁スイッチを「ＯＮ」にしてから所定時間人感センサ１３の初期化が行われるので、表示ランプ１７が点灯する。そして、人感センサ１３の初期化が完了すると、表示ランプ１７が消灯する。
【００２８】
本実施の形態では、白熱灯５と点灯特性が異なるキセノンフラッシュランプ２０を使用しているので、キセノンフラッシュランプ２０が点滅点灯することにより威嚇モードに切替わったということが明らかとなり、威嚇効果を向上させることができ、防犯効果を向上させることができる。
【００２９】
本実施の形態では、センサユニット１１が器具本体２に対して着脱可能となっており、かつキセノンフラッシュランプ２０がセンサユニット１１と一体化されているので、既存の照明器具であっても、センサユニット１１を取付けるだけで、或いは既存の照明器具に取付けられているセンサユニットをセンサユニット１１に取替えるだけで、本実施の形態の効果を得ることができる。具体的には、例えば図５（ａ）及び図５（ｂ）に示されるセンサユニット１０１，１０２が既存の照明器具に取付けられている場合には、センサユニット１０１，１０２を外して、センサユニット１１に取付ければ、本実施の形態の効果を得ることができる。このように照明器具購入後であっても、センサユニットの選択の幅を広げることができる。なお、センサユニット１０１は、人感センサ及び照度センサを備えているが、キセノンフラッシュランプは備えていない。また、センサユニット１０２は、照度センサを備えているが、人感センサ及びキセノンフラッシュランプは備えていない。
【００３０】
本実施の形態では、白熱灯５と点灯特性が異なるフラッシュランプ２０が器具本体２の外部に位置するように設けられているので、点滅点灯状態が外部から認識しやすくなるとともに、威嚇効果を高めることができる。
【００３１】
本実施の形態では、フラッシュランプ２０が器具本体２の外部に位置するとともに、フラッシュランプ２０がセンサユニット１１と一体化されているので、照明器具１内にフラッシュランプ２０を配設するための特別な空間を必要とせず、器具本体２を小形化することができる。さらにまた、器具本体２内にフラッシュランプ２０用の配線やソケット等を必要としないので、より器具本体２を小形化することができる。
【００３２】
本実施の形態では、キセノンフラッシュランプ２０を使用しているので、ランプから発せられる光量が多く、より威嚇効果を向上させることができる。また、キセノンフラッシュランプ２０が点滅点灯している状態では、白熱灯５は消灯しているので、キセノンフラッシュランプ２０の点灯を際立たせることができる。これにより、威嚇モードに切替わったということがより明らかとなり、威嚇効果をより向上させることができる。
【００３３】
本実施の形態では、「初期化中」を表す表示ランプ１７が設けられているので、使用者の不安を解消することができる。即ち、照明器具１に電源を入れると、人感センサ１３は動作するが、電源を入れてから所定時間は人感センサ１３を初期化するために人感センサ１３の動作が不安定となり、正常に動作しないことがある。これは、人感センサ１３の故障ではなく、所定時間経過すると人感センサ１３は正常に動作する。しかしながら、使用者は、電源を入れてから所定時間、人感センサ１３が正常に動作しないと、故障したのではないかと不安を覚えることがある。本実施の形態では、「初期化中」を表す表示ランプ１７を設けているので、表示ランプ１７が点灯している状態においては使用者は人感センサ１３が現在初期化されているということを容易に把握することができる。これにより、使用者の不安を解消することができる。
【００３４】
本実施の形態では、「連続点灯」を表す表示ランプ１８が設けられているので、使用者の不安を解消することができる。即ち、上記したように壁スイッチ２１を切替えることにより、連続点灯状態からセンサ検知点灯状態に、或いはセンサ検知点灯状態から連続点灯状態に切替えることができるが、壁スイッチ２１を切替えていると、使用者は現在どの状態にあるか分からなくなってしまい、思い込んでいる状態と異なった状態で点灯した場合には故障したのではないかと不安を覚えることがある。本実施の形態では、「連続点灯」を表す表示ランプ１８を設けているので、表示ランプ１８が点灯している状態においては使用者は現在連続点灯状態にあるということを容易に把握することができる。これにより、使用者の不安を解消することができる。
【００３５】
なお、本発明は上記実施の形態の記載内容に限定されるものではなく、構造や材質、各部材の配置等は、本発明の要旨を逸脱しない範囲で適宜変更可能である。
【図面の簡単な説明】
【００３６】
【図１】実施の形態に係る照明器具の斜視図である。
【図２】実施の形態に係る器具本体及びその内部の模式的な平面図である。
【図３】実施の形態に係る照明器具の電気的な接続を表す模式的なブロック図である。
【図４】実施の形態に係るセンサユニットの正面図である。
【図５】（ａ）及び（ｂ）は既存の照明器具に取付けられているセンサユニットの模式的な正面図である。
【符号の説明】
【００３７】
１…照明器具、２…器具本体、５…白熱灯、１１…センサユニット、１３…人感センサ、１４…照度センサ、１５…制御部、２０…キセノンフラッシュランプ。
【図１】
2006086035.tif 000003
【図２】
2006086035.tif 000004
【図３】
2006086035.tif 000005
【図４】
2006086035.tif 000006
【図５】
2006086035.tif 000007